(57)【要約】      （修正有）【課題】歯間のプラークとともに、舌苔を除去できる歯ブラシの提供。【解決手段】る柄１の先端部に平坦状の取付柄部２が形成され、柄の長さ方向の中間部に歯磨き時の指懸かりとなる指懸かり部が５形成されており、取付柄部２の一方の面に歯磨き用の毛束３が植毛される一方、取付柄部の他方の面に舌苔掻き取り歯が突設されることにより取付柄部２が歯磨き及び舌苔除去の双方に使用可能となっている歯ブラシであって、３列の毛束は、取付柄部２の幅方向両側部分に植毛された２列の外側毛束部６と、２列の毛束部の間に植毛された１列の内側毛束部７とからなり、２列の外側毛束部６は取付柄部２の外側に向かって相互に離れる方向に膨らんだ円弧状に形成された馬蹄形状をなし、内側毛束部７は２列の外側毛束部が形成する馬蹄形状の内部に収まる長さを有した直立形状をなしており、舌苔掻き取り歯は取付柄部の長さ方向または巾方向に所定間隔で複数が突設されている。【選択図】図１
2015080596.tif 000002
【特許請求の範囲】
【請求項１】
指によって把持される柄の長さ方向の先端部に所定幅を有した平坦状の取付柄部が形成され、前記柄の長さ方向の中間部に歯磨き時の指懸かりとなる指懸かり部が形成されており、前記取付柄部の一方の面に歯磨き用の毛束が前記柄の長さ方向に沿って３列となって植毛される一方、前記取付柄部の他方の面に舌苔掻き取り歯が突設されることにより前記取付柄部が歯磨き及び舌苔除去の双方に使用可能となっている歯ブラシであって、
前記３列の毛束は、前記取付柄部の幅方向両側部分に植毛された２列の外側毛束部と、２列の毛束部の間に植毛された１列の内側毛束部とからなり、
前記２列の外側毛束部は前記取付柄部の外側に向かって相互に離れる方向に膨らんだ円弧状に形成された馬蹄形状をなし、
前記内側毛束部は２列の外側毛束部が形成する馬蹄形状の内部に収まる長さを有した直立形状をなしており、
前記舌苔掻き取り歯は前記取付柄部の長さ方向または巾方向に所定間隔で複数が突設されていることを特徴とする改良型歯ブラシ。
【請求項２】
前記舌苔掻き取り歯は、前記取付柄部から離れるに従って先尖状となって前記取付柄部に突設されていることを特徴とする請求項１に記載の改良型歯ブラシ。
【請求項３】
前記指懸かり部は、少なくとも１本の指が挿入可能な寸法の孔部又は凹み部であることを特徴とする請求項１に記載の改良型歯ブラシ。
【発明の詳細な説明】
【技術分野】
【０００１】
本発明は、改良型歯ブラシに係り、より詳しくは、虫歯や歯周病の原因となる歯間のプラークを効率よく除去できるとともに、歯磨き時に口臭の原因となる舌苔を除去できる改良型歯ブラシに関する。
【背景技術】
【０００２】
一般的な歯ブラシには、３列ないし６列植毛のものがあり、毛先はラウンドカットまたは０．１ｍｍ以下に加工して、歯と歯の間や奥歯の汚れをとりやすくするものや、歯茎を刺激するようにしたものがあり、毛切り（カット）には平切りのほか山切りなどがある。
虫歯や歯周病の原因となるのは生きた細菌の固まりである歯垢（プラーク）であり、プラークは、水に溶けにくく、粘着性があるため歯に付着してうがいではとれないものである。
歯磨きの目的は、虫歯や歯周病の原因となるプラークを除去することである。
【０００３】
歯磨きの方法には、１０数種類あると言われているが、主なものとして、ローリング法、水平法、スクラビング法、フォーンズ法、バス法、縦磨き法などがある。
このうち、プラーク除去効果が優れているものは、バス法と縦磨き法である。
バス法は、歯に軸に対して毛先を４５°にし、毛先を歯と歯茎の境に当てて横に加圧振動させるものである。プラーク除去効果、歯肉のマッサージ効果がよいが、決められた通りに磨くのは困難である。
縦磨き法は、毛先を歯面に９０度となるように当てて上下方向に往復運動させるものである。プラーク除去効果はよいが、歯肉のマッサージ効果は劣り、決められた通りに磨きにくい歯が多い。
【０００４】
上記の通り、歯磨きの方法には、１０数種類あるが、決められた通りに磨くのは困難であり、各人が磨きやすい方法で磨いているのが実情である。
そこで、各人が磨きやすい方法で磨いていても歯ブラシの構造上プラークが取れやすく、歯肉のマッサージ効果もあり、併せて用具を交換することなく舌苔も容易に除去出来る歯ブラシが望まれていた。
【先行技術文献】
【特許文献】
【０００５】
【特許文献１】特開２００４−１６３５８号公報
【発明の概要】
【発明が解決しようとする課題】
【０００６】
本発明の目的とするところは、虫歯や歯周病の原因となる歯間のプラークとともに、歯磨き時に口臭の原因となる舌苔を確実に効率よく除去できる歯ブラシを提供することである。
【課題を解決するための手段】
【０００７】
本発明は、指によって把持される柄１の長さ方向の先端部に所定幅を有した平坦状の取付柄部２が形成され、柄１の長さ方向の中間部に歯磨き時の指懸かりとなる指懸かり部５が形成されており、取付柄部２の一方の面に歯磨き用の毛束３が柄の長さ方向に沿って３列となって植毛される一方、取付柄部２の他方の面に舌苔掻き取り歯４が突設されることにより取付柄部２が歯磨き及び舌苔除去の双方に使用可能となっている歯ブラシであって、
３列の毛束３は、取付柄部２の幅方向両側部分に植毛された２列の外側毛束部６と、２列の外側毛束部６の間に植毛された１列の内側毛束部７とからなり、
２列の外側毛束部６は取付柄部２の外側に向かって相互に離れる方向に膨らんだ円弧状に形成された馬蹄形状をなし、
内側毛束部７は２列の外側毛束部６が形成する馬蹄形状の内部に収まる長さを有した直立形状をなしており、
舌苔掻き取り歯４は取付柄部２の長さ方向または巾方向に所定間隔で複数が突設されていることを特徴とする。
【０００８】
前記舌苔掻き取り歯４は、前記取付柄部２から離れるに従って先尖状となって前記取付柄部２に突設されていることを特徴とする。
【０００９】
前記指懸かり部５は、少なくとも１本の指が挿入可能な寸法の孔部又は凹み部であることを特徴とする。
【発明の効果】
【００１０】
本発明によれば、馬蹄形断面を有する巾方向両端部に植毛された２列の毛束により歯の表裏面が磨かれるとともに巾方向中央部に植毛された１列の毛束によって歯の上面が同時に磨かれ歯磨きを効率的に行うことができるほか、柄の持ち方を反対にするだけで、柄の先端部で舌苔を除去することができる。
特に舌苔除去実施中は指を指固定穴に挿入して固定することで柄を滑らすことなく効率的に舌苔除去ができる。
【図面の簡単な説明】
【００１１】
【図１】本発明による改良型歯ブラシの植毛された面の斜視図である。
【図２】本発明による改良型歯ブラシの植毛状態を示す頂部断面の拡大図である。
【図３】本発明による改良型歯ブラシの側面図である。
【図４】本発明による改良型歯ブラシの舌苔掻き取り歯が設けられた裏面の図である。
【図５】本発明による改良型歯ブラシの歯磨き時の歯列との接触状態を示す例示        図である。
【図６】本発明による改良型歯ブラシの指懸かり部の活用例である。
【図７】本発明による改良型歯ブラシによる舌苔除去状況を示す図である。
【発明を実施するための形態】
【００１２】
以下、図面を参照して本発明の実施形態について詳しく説明する。
図１は、本発明による改良型歯ブラシの植毛された面の斜視図、図２は、改良型歯ブラシの植毛状態を示す頂部断面の拡大図、図３は、改良型歯ブラシの側面図、図４は、改良型歯ブラシの舌苔掻き取り歯が設けられた裏面の図、図５は、改良型歯ブラシの歯磨き時の歯列との接触状態を示す例示図、図６は、改良型歯ブラシの指懸かり部の活用例、図７は、改良型歯ブラシによる舌苔除去状況を示す図である。
【００１３】
本発明の改良型歯ブラシは、図１、４，５に示す通り、歯ブラシ本体である柄１と、柄１の長さ方向の先端部に所定幅を有した平坦状の取付柄部２と、柄１の長さ方向中間部の歯磨き時の指懸かりとなる指懸かり部５と、取付柄部２の一方の面の歯磨き用毛束３と、取付柄部２の他方の面の舌苔掻き取り歯４と、を含んで構成される。
図１，２に示す通り、３列の毛束３は、取付柄部２の幅方向両側部分に植毛された２列の外側毛束部６と、２列の外側毛束部６の間に植毛された１列の内側毛束部７とからなり、２列の外側毛束部６は取付柄部２の外側に向かって相互に離れる方向に膨らんだ円弧状に形成された馬蹄形状をなし、内側毛束部７は２列の外側毛束部６が形成する馬蹄形状の内部に収まる長さを有した直立形状をなしており、舌苔掻き取り歯４は取付柄部２の長さ方向に所定間隔で複数が突設されている。
【００１４】
本発明の実施例では、柄１の長さは１６５ｍｍ、取付柄部２の長さは、３０ｍｍ、取付柄部２の巾は１０ｍｍ、柄１の先端から６０ｍｍから７５ｍｍの位置に巾７〜１２ｍｍの指懸かり部５を設けるため、柄１の指懸かり部５の部分は、柄１の巾が２５ｍｍに拡張されている。
２列の外側毛束部６は、各々柄１の両側面から１ｍｍの所に植毛されており、内側毛束部７は、柄１の巾方向中央部に植毛されている。
図２に示す通り、外側毛束部６は柄１の巾方向断面が馬蹄形をしており、２列の外側毛束部６が柄１のベースから伸びて外側毛束部６の先端で対置する位置までのベースからの高さは１０ｍｍ、馬蹄形断面の最大の巾が１１ｍｍであり、巾方向中央部に植毛された内側毛束部７の高さは４ｍｍである。
【００１５】
図４に示す通り、本発明の実施例では、毛束３が植毛された面と反対の面に設けられた舌苔掻き取り用の舌苔除去部４は、柄と一体成形の樹脂製で、山形の突出部４個のものと２個のものからなっており、その断面形状は図４の拡大図に示す通り、柄１の把柄部に方向に向かって傾斜したものとなっている。この形状により、歯ブラシを柄１を把柄部方向に移動させる際に舌苔が除去しやすいようになっている。
本発明の実施例では、舌苔掻き取り歯４が、樹脂製の山形突出部からなっているが、舌苔掻き取り歯４の形状は、柄１の巾方向に平行方向、直角方向または柄の巾方向に対して任意の傾斜を有する連続突出部、あるいは、断面が円形、または多角形の複数の樹脂製突出部から形成されてもよく、毛束そのものでもよい。
【００１６】
図５は、本発明の改良型歯ブラシと使用した歯磨き時の歯列との接触状態を示す図である。
本発明の改良型歯ブラシは、馬蹄形の外側毛束部６と、柄１の巾方向中央部の内側毛束部７を備えているため、図５に示す通り、歯列の上部から歯列に沿ってブラシを動かした場合には、外側毛束部６の先端が、歯の表と裏に、内側毛束部７の先端が歯の頂部に接触可能であるため、これらを同時に磨くことが出来効率的である。
さらに、この状態で若干柄１に力を加えて外側毛束部６を歯肉部に接触させて歯肉部を効率的にマッサージすることができる。
健康な歯肉は薄いピンク色で、歯肉内部の毛細血管では酸素や栄養の補給と代謝産物の排せつが活発に行われているため、歯肉マッサージは歯肉の表面を丈夫にし、血流を促進して代謝を促す効果があると言われている。
【００１７】
図６は、指懸かり部５に親指を固定して歯磨、歯肉のマッサージきまたは舌苔除去を行う状況を示す図である。歯磨きの方法によっては、親指でなく人差し指などを固定することも効果がある。
図７は、本発明の改良型歯ブラシによる舌苔除去の様子を示す図であり、山形突出物が柄１の巾方向に平行方向（Ａ）、及び直角方向（Ｂ）の場合の舌苔除去の様子を示している。
本発明の改良型歯ブラシでは、歯ブラシと同時に舌苔状況を行うことが出来大変便利である。
【００１８】
本発明によれば、馬蹄形断面を有する巾方向両端部に植毛された２列の毛束により歯の表裏面が磨かれるとともに巾方向中央部に植毛された１列の毛束によって歯の上面が同時に磨かれ歯磨きを効率的に行うことができるほか、柄の持ち方を反対にするだけで、柄の先端部で舌苔を除去することができる。
特に舌苔除去実施中は指を指固定穴に挿入して固定することで柄を滑らすことなく効率的に舌苔除去ができる。
【符号の説明】
【００１９】
１  柄
２  取付柄部
３  毛束
４  舌苔掻き取り歯
５  指懸かり部
６  外側毛束部
７  内側毛束部
【図１】
2015080596.tif 000003
【図２】
2015080596.tif 000004
【図３】
2015080596.tif 000005
【図４】
2015080596.tif 000006
【図５】
2015080596.tif 000007
【図６】
2015080596.tif 000008
【図７】
2015080596.tif 000009